(57)【特許請求の範囲】
【請求項１】
部屋の出入口の戸を施錠する電気錠が接続されたＩＤコントローラと、上記部屋の内側に設けられて上記ＩＤコントローラに接続され、操作されて上記電気錠を解錠する非常解錠釦と、上記部屋の外側に設置されたＩＤカードの第一カードリーダと、上記部屋の内側に設置された警報装置及び表示装置と、上記部屋の内側に設置された上記ＩＤカードの第二カードリーダと、上記第一カードリーダ、警報装置、表示装置及び第二カードリーダに接続され、所定の入室者のＩＤカード番号に対するアクセスタイムインターバルが設定されて、上記ＩＤカードを上記第一カードリーダに挿入することによる上記部屋への入室後において、上記アクセスタイムインターバル経過前の退出勧告時限に上記警報装置を付勢し、かつ上記表示装置に上記ＩＤカード関連事項の表示指令を発して上記非常解錠釦の乱用を防ぐ制御装置とを備えた入退室管理装置。
【発明の詳細な説明】
【０００１】
【発明の属する技術分野】
この発明は、ＩＤカードによって部屋に出入りする人を管理する入退室管理装置に関する。
【０００２】
【従来の技術】
図３及び図４は、従来の入退室管理装置を示す図で、図３は概念的に示す全体構成図、図４は図３の構成において設定されたアクセスタイムインターバルを示す波形図である。図において、１は制御装置、２は制御装置１に接続されたＩＤコントローラ、３は第一カードリーダで、ＩＤコントローラ２に接続されて部屋（図示しない）の外側に設けられている。
【０００３】
４は第二カードリーダで、ＩＤコントローラ２に接続されて部屋の内側に設けられている。５は部屋の出入口の戸を施錠する電気錠で、ＩＤコントローラ２に接続されている。６はＩＤコントローラ２に接続された異常センサ、７はＩＤコントローラ２に接続された非常解錠釦、８は制御装置１に接続されたヒューマンインタフェースである。
【０００４】
従来の入退室管理装置は上記のように構成され、入退室する関係者にはそれぞれＩＤカードが配付される。そして、そのＩＤカード番号に対応して部屋内に滞在できるアクセスタイムインターバルがそれぞれ設定されて制御装置１に入力されている。このような管理形態が設けられて、入室する人は部屋の出入口外で第一カードリーダ３にＩＤカードを挿入する。
【０００５】
そして、ＩＤコントローラ２、制御装置１の動作により挿入されたＩＤカードが適格であると共に、例えば図４に示すようなそのＩＤカードに対応したアクセスタイムインターバル内でれば、常時は部屋の出入口の戸を鎖錠している電気錠５が一時解錠される。これにより入室者が部屋に入る。
【０００６】
また、入室者が部屋から出る場合には部屋の出入口内で第二カードリーダ４にＩＤカードを挿入する。これによって、ＩＤコントローラ２、制御装置１の動作により挿入されたＩＤカードが適格であると共に、例えば図４に示すようなそのＩＤカードに対応したアクセスタイムインターバル内でれば常時は鎖錠されている電気錠５が一時解錠される。
【０００７】
これにより、入室者が部屋から出る。なお、火災発生等の異常時の異常センサ６の作動、非常解錠釦７の操作によって制御装置１の動作を介して電気錠５が解錠される異常時機能が設けられている。また、入退室管理装置の状態をヒューマンインタフェース８によって確認するようになっている。
【０００８】
【発明が解決しようとする課題】
上記のような従来の入退室管理装置では、入退室者がＩＤカードに対応したアクセスタイムインターバル内に第一カードリーダ３、第二カードリーダ４にＩＤカードを挿入して入退室する。したがって、入室中の人のＩＤカードに対応したアクセスタイムインターバルが経過した場合には、出入口の戸を鎖錠している電気錠５の解錠が不能になる。このため、非常解錠釦７の乱用に相当するものの止むなく非常解錠釦７を操作して電気錠５を解錠することになる。しかし、このようなときにも非常事態発生として対処することになるという問題点があった。
【０００９】
この発明は、かかる問題点を解消するためになされたものであり、入室中の人のＩＤカードに対応したアクセスタイムインターバルが経過する前に退室を勧告する入退室管理装置を得ることを目的とする。
【００１０】
【課題を解決するための手段】
この発明に係る入退室管理装置においては、部屋の出入口の戸を施錠する電気錠が接続されたＩＤコントローラと、部屋の内側に設けられてＩＤコントローラに接続され、操作されて電気錠を解錠する非常解錠釦と、部屋の外側に設置されたＩＤカードの第一カードリーダと、部屋の内側に設置された警報装置及び表示装置と、部屋の内側に設置されたＩＤカードの第二カードリーダと、第一カードリーダ、警報装置、表示装置及び第二カードリーダに接続され、所定の入室者のＩＤカード番号に対するアクセスタイムインターバルが設定されて、ＩＤカードを第一カードリーダに挿入することによる部屋への入室後において、アクセスタイムインターバル経過前の退出勧告時限に警報装置を付勢し、かつ表示装置にＩＤカード関連事項の表示指令を発して非常解錠釦の乱用を防ぐ制御装置とが設けられる。
【００１１】
【発明の実施の形態】
実施の形態１．
図１及び図２は、この発明の実施の形態の一例を示す図で、図１は概念的に示す全体構成図、図２は図１の装置の動作を説明するフローチャートである。図において、１は制御装置、２は制御装置１に接続されたＩＤコントローラ、３は第一カードリーダで、ＩＤコントローラ２に接続されて部屋（図示しない）の外側に設けられている。４は第二カードリーダで、ＩＤコントローラ２に接続されて部屋の内側に設けられている。
【００１２】
５は部屋の出入口の戸を施錠する電気錠で、ＩＤコントローラ２に接続されている。６はＩＤコントローラ２に接続された異常センサ、７はＩＤコントローラ２に接続された非常解錠釦、８は制御装置１に接続されたヒューマンインタフェース、９は制御装置１に接続されて第二カードリーダに設けられた警報装置、１０は制御装置１に接続されて第二カードリーダに設けられた表示装置である。
【００１３】
上記のように構成された入退室管理装置において、入退室する関係者にはそれぞれＩＤカードが配付される。そして、そのＩＤカード番号に対応して部屋内に滞在できるアクセスタイムインターバルがそれぞれ設定されて制御装置１に入力されている。このような管理形態における入退室管理装置の動作を図２に示すフローチャートによって説明する。すなわち、ステップ１０１において、入室する人が部屋の出入口外で第一カードリーダ３にＩＤカードを挿入する。
【００１４】
そして、ＩＤコントローラ２、制御装置１の動作により挿入されたＩＤカードが適格であると共に、例えば前述の図４に示すようなそのＩＤカードに対応したアクセスタイムインターバル内でれば、常時は部屋の出入口の戸を鎖錠している電気錠５が一時解錠される。これにより入室者が部屋に入る。
【００１５】
これにより、ステップ１０２へ進み部屋内に入室者ありが記憶されてステップ１０３に進んで、入室者のＩＤカード番号に対応して設定された部屋内に滞在できるアクセスタイムインターバル経過前の退出勧告時限前であればステップ１０２へ戻り、退出勧告時限前でなければ、すなわち退出勧告時限であるときにはステップ１０４へ進む。
【００１６】
そして、ステップ１０４によりアクセスタイムインターバルに対して退出勧告時限となったＩＤカード番号に対応した入室者名が表示装置１０に表示されると共に、警報装置９が付勢されて鳴動する。これによって、退出勧告時限となったＩＤカード番号に対応した入室者が次に述べる処置を行う。
【００１７】
すなわち、ステップ１０５へ進んで部屋の出入口内で第二カードリーダ４にＩＤカード
を挿入する退出操作が行われればステップ１０６へ進み、退出操作が行われなければステップ１０７へ進む。そして、ステップ１０７により警報が停止しすればステップ１０８へ進み、また警報が停止しなければステップ１０９へ進んで警報発生後所定時間が経過しなければステップ１０５へ戻り、警報発生後所定時間が経過すればステップ１０８へ進む。
【００１８】
そして、ステップ１０８において入室者名の表示が消失し、警報装置９が消勢される。次にステップ１１０へ進んで退出勧告時限となったＩＤカード番号に対応した入室者が退出操作していればステップ１０６へ進み、また退出操作していなけれればステップ１１１へ進む。
【００１９】
そして、ステップ１１１で退出勧告時限となったＩＤカード番号に対応した入室者の退出勧告時限前であればステップ１１０へ戻り、退出勧告時限前でなければ、すなわち退出勧告時限であるときにはステップ１１２へ進む。ステップ１１２において、アクセスタイムインターバルに対して退出勧告時限となったＩＤカード番号に対応した入室者名が表示されると共に、警報装置９が付勢されて鳴動する。次いで、ステップ１１３へ進む。
【００２０】
ステップ１１３により退出勧告時限となったＩＤカード番号に対応した入室者が、部屋の出入口内で第二カードリーダ４にＩＤカードを挿入する退出操作が行われて退出すればステップ１０６へ進み、退出操作が行われなければステップ１１４へ進む。そして、ステップ１０６において警報装置９が消勢されてステップ１１５へ進む。
【００２１】
そして、ステップ１１５により部屋の出入口の戸が開けばステップ１１６へ進み、戸が開かなければステップ１１８へ進む。また、ステップ１１６において他の入室者がいればステップ１０２へ戻り、他の入室者がいなければステップ１１７へ進んで異常センサ６の付勢が継続される。
【００２２】
また、ステップ１１８において、戸が開かない状態から所定時間経過していなければステップ１１５へ戻り、所定時間経過していればステップ１１４へ進む。そして、ステップ１１４によりＩＤコントローラ２へ異常発生が送信されてステップ１１９へ進んで制御装置１へ異常発生が送信され、次いでステップ１２０へ進みヒューマンインタフェース８へ異常発生が送信される。
【００２３】
以上説明したように入室者のＩＤカード番号に対応して設定された部屋内に滞在できるアクセスタイムインターバル経過前の退出勧告時限に、警報装置９が動作し、また表示装置１０に退出勧告される入室者名が表示される。これによって、退出勧告された入室者に注意が喚起されるので、退出勧告された入室者が所定の処理を行う。これによって、アクセスタイムインターバルが経過した入室者により止むなく非常解錠釦７が操作される不具合、非常解錠釦７が乱用されることによって生じる不具合の発生を未然に防ぐ効果がある。
【００２４】
また、ステップ１０４による第一回の退出勧告時限の警報装置９の動作及び表示装置１０の表示の後に、退出勧告された入室者が所定の処理を行わない場合には、ステップ１１２による第二回の退出勧告時限の警報装置９の動作及び表示装置１０の表示が行われる。したがって、アクセスタイムインターバルが経過した入室者によって止むなく非常解錠釦７を操作する不具合、非常解錠釦７が乱用されることによって生じる不具合の発生を一層確実に未然に防止する効果がある。
【００２５】
実施の形態２．
また、この発明の他の実施の形態として、前述の図１及び図２の実施の形態を応用して容易に次に述べるように装置を構成することができる。すなわち、前述の図２によるフローチャートのステップ１１３において、ＩＤカードを所持する適格入室者は、退出操作の一部として部屋の出入口内で第二カードリーダ４に設けられたテンキースイッチ（図示しない）を所定の要領で操作して警報不動作処置を行うようにする。
【００２６】
これにより、不正な入室者であるときには、ステップ１１３において所定の退出操作における警報不動作処置ができないことから不正入室者の存在が検定される。したがって、アクセスタイムインターバルが経過した入室者によって止むなく非常解錠釦７を操作する不具合の発生、非常解錠釦７が乱用されることによって生じる不具合の発生を未然に防ぐことができると共に、不正入室者を容易に検出することができ入退室管理の機能を向上することができる。
【００２７】
【発明の効果】
この発明は以上説明したように、部屋の出入口の戸を施錠する電気錠が接続されたＩＤコントローラと、部屋の内側に設けられてＩＤコントローラに接続され、操作されて電気錠を解錠する非常解錠釦と、部屋の外側に設置されたＩＤカードの第一カードリーダと、部屋の内側に設置された警報装置及び表示装置と、部屋の内側に設置されたＩＤカードの第二カードリーダと、第一カードリーダ、警報装置、表示装置及び第二カードリーダに接続され、所定の入室者のＩＤカード番号に対するアクセスタイムインターバルが設定されて、ＩＤカードを第一カードリーダに挿入することによる部屋への入室後において、アクセスタイムインターバル経過前の退出勧告時限に警報装置を付勢し、かつ表示装置にＩＤカード関連事項の表示指令を発して非常解錠釦の乱用を防ぐ制御装置とを設けたものである。
【００２８】
これによって、入室者のＩＤカード番号に対応して設定された部屋内に滞在できるアクセスタイムインターバル経過前の退出勧告時限に、警報装置が動作し、また表示装置に退出勧告される入室者名等が表示される。これによって、退出勧告された入室者に注意が喚起されるので、退出勧告された入室者が所定の処理を行う。このため、アクセスタイムインターバルが経過した入室者によって止むなく非常解錠釦が操作される不具合、非常解錠釦が乱用されることによって生じる不具合の発生を未然に防ぐ効果がある。
【図面の簡単な説明】
【図１】この発明の実施の形態１を概念的示す全体構成図。
【図２】図１の装置の動作を説明するフローチャート。
【図３】従来の入退室管理装置を概念的に示す全体構成図。
【図４】図３の構成において設定されたアクセスタイムインターバルを示す波形図。
【符号の説明】
１  制御装置、２  ＩＤコントローラ、３  第一カードリーダ、４  第二カードリーダ、５  電気錠、７  非常解錠釦、９  警報装置、１０  表示装置。
【図１】
0003589865.tif 000002
【図２】
0003589865.tif 000003
【図３】
0003589865.tif 000004
【図４】
0003589865.tif 000005